(57)【要約】【課題】給湯装置で使用するガスや水道等のエネルギー使用量を表示するに際し、表示する使用量の期間単位を変更しても現在、過去の使用量を変更後の期間単位で表示可能とするエネルギー使用量表示装置を提供する。【解決手段】エネルギー使用量表示装置は給湯装置２のリモコン１に適用される。リモコン１は、集計処理部１１、表示制御部１４、表示部１５を備える。集計処理部１１は、ガス等の使用量を集計する集計部５と、集計部５で集計する使用量のデータを所定期間単位で所定期間数分だけ過去に遡って記録する記憶部６と、所定時刻となる毎に使用量のデータを集計部５から記憶部６への書き込みを行わせる集計制御部７とを備える。表示制御部１４は使用者が要求する期間単位に応じて集計部５の集計値と記憶部６の記録値の一方または両方を読み出して使用量の表示用データを作成し、表示部１５は表示制御部１４で作成した表示用データに基づいて使用量表示を行う。【選択図】図１
2008157502.tif 000002
【特許請求の範囲】
【請求項１】
給湯装置で使用するガスや水道、この給湯装置を設置する住宅で使用する電気等のエネルギー使用量を表示するエネルギー使用量表示装置であって、
時計とカレンダー機能を有する計時手段と、
上記のガス、水道または電気の使用量を集計する集計部と、
上記集計部で集計する使用量のデータを所定期間単位で所定期間数分だけ過去に遡って記録する記憶部と、
所定時刻となる毎に、使用量のデータを上記集計部から上記記憶部への書き込みを行わせる集計制御部と、
使用者が要求する期間単位に応じて、上記集計部の集計値と上記記憶部の記録値の一方または両方を読み出して使用量の表示用データを作成する表示制御部と、
上記表示制御部で作成した表示用データに基づいて使用量表示を行う表示部とを備えるエネルギー使用量表示装置。
【請求項２】
請求項１に記載のエネルギー使用量表示装置において、
上記集計部は、上記給湯装置を介して送られてくる上記のガス、水道または電気の使用量を積算する時間別集計部を備え、
上記記憶部は、使用量のデータを時間単位で所定の時間数分だけ過去に遡って記録する時間別メモリを備え、
上記集計制御部は、時刻が０分となる毎に、前の０分のときから積算した上記時間別集計部での使用量のデータをその時刻における一時間分の使用量として上記時間別メモリへ書き込ませるように制御するエネルギー使用量表示装置。
【請求項３】
請求項１または２に記載のエネルギー使用量表示装置において、
過去との比較表示を選択可能とする過去比較表示選択部を備え、
上記表示制御部は、上記集計部の集計値と上記記憶部の記録値を読み出し集計して比較対照期間の過去の使用量に対する現在までの使用量の割合を表示する表示用データを作成するように構成したエネルギー使用量表示装置。
【請求項４】
請求項１ないし３のいずれかに記載のエネルギー使用量表示装置において、
目標値を設定する目標値設定手段と、目標値との比較表示を選択可能とする目標比較表示選択部とを備え、
上記表示制御部は、上記集計部の集計値、または上記集計部の集計値と上記記憶部の記録値を読み出し集計して目標値に対する現在までの使用量の割合を表示する表示用データを作成するように構成したエネルギー使用量表示装置。
【発明の詳細な説明】
【技術分野】
【０００１】
本発明は、給湯装置でのガスや水道の使用量、この給湯装置を設置する住宅での電気の使用量等のエネルギー使用量を表示するエネルギー使用量表示装置に関するものである。
【背景技術】
【０００２】
従来、給湯装置で使用するガスや水道の使用量を表示できるようにした給湯装置が知られている（特許文献１）。図６のブロック構成図に示すように、この給湯装置においてガス等の使用量を表示させるための構成として、ガス量検出手段６３１、水量検出手段６４１、ガス量積算手段６７４、水量積算手段６７５、期間別積算管理手段６７３、記憶手段６７７、表示手段６７６、表示切替手段６７８、積算期間設定手段６７１、計時手段６７２等を備える。
【０００３】
ガス量積算手段６７４は、ガス量検出手段６３１で検出した給湯装置本体部（図示せず）で使用するガス量を積算する。水量積算手段６７５は、水量検出手段６４１で検出した給湯装置本体部で使用する水量を積算する。積算期間設定手段６７１は、積算の基準日を設定し、基準日データ６７１ａを期間別積算管理手段６７３へ入力する。計時手段６７２は、カレンダ機能を有し、月，日，時，分等の計時データ６７２ａを期間別積算管理手段６７３へ供給する。
【０００４】
また、期間別積算管理手段６７３は、基準日データ６７１ａと計時データ６７２ａとを比較し、積算期間毎にガス量積算手段６７４および水量積算手段６７５の積算結果６７４ａ，６７５ａを読み取り、この積算結果６７４ａ，６７５ａを積算期間と対応付けて記憶手段６７７へ格納するとともに、リセット信号６７３ａ，６７３ｂを発生させてガス量積算手段６７４および水量積算手段６７５の積算値をクリアし、ゼロから積算を再開させる。
【０００５】
そして、この給湯装置は、給湯装置本体部で使用されるガス量および水量をガス量積算手段６７４および水量積算手段６７５により積算期間設定手段６７１で設定された積算期間にわたって積算して積算結果６７４ａ，６７５ａを表示手段６７６で表示させる。なお、表示切替手段６７８から年月を指定して過去の使用量の表示要求がなされた場合は、記憶手段６７７から該当するデータを読出し、表示手段６７６に表示させる。
【特許文献１】特許第３０６１２１５号公報
【特許文献２】特許第２９５４２８４号公報
【発明の開示】
【発明が解決しようとする課題】
【０００６】
上述のように、従来の給湯装置は、積算期間設定手段６７１で設定した積算期間に基づいて期間別積算管理手段６７３がリセット信号６７３ａ，６７３ｂを出力することで、積算手段６７４，６７５は、積算期間に応じてガス、水道の使用量を積算し、表示手段６７６は、この積算期間に応じた積算結果６７４ａ，６７５ａを表示させている。そのため、表示手段６７６で表示させる使用量の期間単位（月単位など）を変更するには、積算期間設定手段６７１で積算期間を再設定して期間別積算管理手段６７３のリセット信号６７３ａ，６７３ｂの出力タイミングを変更することで、積算手段６７４，６７５の積算期間を変更する必要がある。
【０００７】
この場合、積算期間を変更すると、期間別積算管理手段６７３は、積算期間の変更に伴い積算手段６７４，６７５へリセット信号６７３ａ，６７３ｂを出力し、積算手段６７４，６７５の積算値をクリアして再スタートさせることとなるので、積算手段６７４，６７５で積算していた現在の使用量がクリアされてその表示を行うことができなくなる。しかも、記憶手段６７７の記憶データは、積算期間の変更前のものと積算期間が異なるため、過去の使用量の表示を行うこともできなくなる。
【０００８】
また、期間別積算管理手段６７３における積算期間は、積算期間設定手段６７１の基準日データ６７１ａと計時手段６７２の計時データ６７２ａとにより積算期間を割り出しているので、計時手段６７２の時刻を変更すると、変更前後の時間相当分、積算期間が短くなるか長くなるため、期間別積算管理手段６７３での積算期間が変更されることとなる。そのため、時刻変更に伴う積算期間の変更によって期間別積算管理手段６７３は、積算手段６７４，６７５へリセット信号６７３ａ，６７３ｂを出力し、積算手段６７４，６７５の積算値をクリアして再スタートさせることとなるので、この場合も、積算手段６７４，６７５で積算していた現在の使用量がクリアされてその表示を行うことができなくなる。
【０００９】
本発明は、上記事情に鑑みてなされたものであり、給湯装置で使用するガスや水道等のエネルギー使用量を表示するに際し、表示する使用量の期間単位を変更しても現在、過去の使用量を変更後の期間単位で表示可能とするエネルギー使用量表示装置を提供することを課題とする。
【課題を解決するための手段】
【００１０】
（１）本発明に係るエネルギー使用量表示装置は、
給湯装置で使用するガスや水道、この給湯装置を設置する住宅で使用する電気等のエネルギー使用量を表示するエネルギー使用量表示装置であって、
時計とカレンダー機能を有する計時手段と、
上記のガス、水道または電気の使用量を集計する集計部と、
上記集計部で集計する使用量のデータを所定期間単位で所定期間数分だけ過去に遡って記録する記憶部と、
所定時刻となる毎に、使用量のデータを上記集計部から上記記憶部への書き込みを行わせる集計制御部と、
使用者が要求する期間単位に応じて、上記集計部の集計値と上記記憶部の記録値の一方または両方を読み出して使用量の表示用データを作成する表示制御部と、
上記表示制御部で作成した表示用データに基づいて使用量表示を行う表示部とを備えるものである。
【００１１】
上記集計制御部によって、所定時刻となる毎に使用量のデータを上記集計部から上記記憶部への書き込みを行わせるので、表示する使用量の期間単位を変更しても、集計部で集計している使用量データがリセットされることなく、所定時刻毎に記憶部に記録される。また、給湯装置で使用するガス等の使用量を上記記憶部に所定期間単位で記録するが、表示の際は、表示制御部によって使用者が要求する期間単位に応じて使用量の表示用データが作成される。従って、記憶部に記録する期間単位にかかわらず、表示部には使用者が要求する期間単位に応じて給湯装置で使用するガス使用量等の使用量表示を行うことができる。
【００１２】
このように、表示する使用量の期間単位を変更しても、集計部で集計している使用量データがリセットされることなく所定時刻毎に記憶部に記録されていくので、集計部の集計値や記憶部の記録値を利用して、現在、過去の使用量を変更後の期間単位で表示することができる。
【００１３】
（２）上記エネルギー使用量表示装置において、
上記集計部は、上記給湯装置を介して送られてくる上記のガス、水道または電気の使用量を積算する時間別集計部を備え、
上記記憶部は、使用量のデータを時間単位で所定の時間数分だけ過去に遡って記録する時間別メモリを備え、
上記集計制御部は、時刻が０分となる毎に、前の０分のときから積算した上記時間別集計部での使用量のデータをその時刻における一時間分の使用量として上記時間別メモリへ書き込ませるように制御するものでもよい。
この場合、時間単位以上の期間単位に変更しても、集計部の集計値や記憶部の記録値を利用して、現在、過去の使用量を変更後の期間単位で表示することができる。
【００１４】
（３）上記エネルギー使用量表示装置において、
過去との比較表示を選択可能とする過去比較表示選択部を備え、
上記表示制御部は、上記集計部の集計値と上記記憶部の記録値を読み出し集計して比較対照期間の過去の使用量に対する現在までの使用量の割合を表示する表示用データを作成するように構成してもよい。
この場合、過去の使用量に対する現在までの使用量の割合が一目で分かるので、過去の使用量との対比においてエネルギー使用の節約等に役立てることができる。
【００１５】
（４）上記エネルギー使用量表示装置において、
目標値を設定する目標値設定手段と、目標値との比較表示を選択可能とする目標比較表示選択部とを備え、
上記表示制御部は、上記集計部の集計値、または上記集計部の集計値と上記記憶部の記録値を読み出し集計して目標値に対する現在までの使用量の割合を表示する表示用データを作成するように構成してもよい。
この場合、目標値の使用量に対する現在までの使用量の割合が一目で分かるので、目標値の使用量との対比においてエネルギー使用の節約等に役立てることができる。
【発明の効果】
【００１６】
本発明によれば、給湯装置で使用するガスや水道等のエネルギー使用量を表示するに際し、表示する使用量の期間単位を変更しても、集計部の集計値や記憶部の記録値を利用して、現在、過去の使用量を変更後の期間単位で表示することができるので、日毎、月毎等のように使用者が要求する期間単位に応じたエネルギー使用量の推移等を確実に表示することができる。従って、給湯装置でのガス、水道の使用量や住宅での電気の使用量等のエネルギー使用の節約等に確実に役立てることができる。
【発明を実施するための最良の形態】
【００１７】
以下に、本発明の実施の形態について添付図面を参照しながら説明する。
本実施の形態による表示装置は、給湯装置２に通信接続されて給湯装置２の遠隔操作等を行うリモコン１に適用されたものであって、この給湯装置２で使用されるガスや水道の使用量のほか、この給湯装置２を設置する住宅全体の電気使用量を上記リモコン１に表示させるものである（図１参照）。
【００１８】
図１に示すように、給湯装置２は、熱交換器２１と、熱交換器２１を加熱するバーナ２２と、熱交換器２１に配管接続された給水管２３および出湯管２４と、バーナ２２へ燃料ガスを供給するガス配管２５と、この給湯装置２の動作制御を行う制御盤２６と、電源回路２７とを備える。なお、リモコン１は、制御盤２６と通信接続されている。
【００１９】
ガス配管２５には、この給湯装置２で使用されるガス量を常時計測するためのガス量計測器２８が設けられ、このガス量計測器２８によるガス量の計測値に係る信号が給湯装置２の制御盤２６を介してリモコン１へ送信される。給水管２３には、この給湯装置２で使用される水量を常時計測するための水量計測器２９が設けられ、この水量計測器２９による水量の計測値に係る信号が給湯装置２の制御盤２６を介してリモコン１へ送信される。なお、ガス量計測器２８や水量計測器２９としては、例えば、所定の計測量毎にパルス信号を発生するもの等が使用可能である。水量計測器２９は、リモコン１の運転スイッチがＯＦＦのときでも、バーナ２２が燃焼していないときでも、水量を計測することができる。
【００２０】
また、電力に関しては、この給湯装置２を設置する住宅の分電盤３には、この住宅の電気使用量を常時計測する電力測定ユニット３１が設けられ、この電力測定ユニット３１による電気使用量の計測値に係る信号が給湯装置２の制御盤２６を介してリモコン１へ送信される。なお、分電盤３は、電力送電線（図示せず）から引き込まれた引込線３２より住宅の各電気コンセント等に分岐させており、電力測定ユニット３１は、この引込線３２に接続されてこの住宅で使用される電気使用量を測定するようにしたものである。給湯装置２の電源回路２７も、この引込線３２から分岐接続された電気コンセントに接続されている。
【００２１】
リモコン１における本発明に係る表示装置を実現する構成としては、集計処理部１１と、単価・目標値入力部１２と、表示項目選択部１３と、表示制御部１４と、表示部１５と、を有する。表示部１５としては、例えば、液晶、ＬＥＤ、ドットマトリクス型表示器等、各種の表示器が使用可能である。
【００２２】
集計処理部１１は、給湯装置２の制御盤２６から送信されてきたガス、水道、電気の各々の計測値信号より各々の使用量の算出および保管等を行うものである。この集計処理部１１は、図２に示すように、計時部４と、集計部５と、記憶部６と、集計制御部７とを備える。集計部５は、時間別集計部５１、日別集計部５２、月別集計部５３を備える。また、記憶部６は、時間別メモリ６１、日別メモリ６２、月別メモリ６３を備える。
【００２３】
計時部４は、時分等の時刻を刻む時計機能や年月日等の日付を刻むカレンダー機能を有し、この計時データを集計制御部７へ供給する。なお、計時部４の日付や時刻は、図示しない時間設定部によって手動設定できる。
【００２４】
時間別集計部５１は、給湯装置２から送信されてくる信号より使用量を積算し集計する。
そして、集計制御部７は、計時部４からの計時データを参照して、時刻が０分となる時点毎に前の０分から集計した時間別集計部５１での使用量の集計値をその時刻の一時間分の使用量とし、時間別メモリ６１へ書き込ませる。すなわち、この時間別集計部５１では、例えば、計時部が２１時００分（＝２０時６０分）となった時点で、２０時００分から２１時００分までに集計した一時間分の使用量をその時刻である２０時（午後８時）の使用量とする。
【００２５】
時間別メモリ６１は、時間別集計部５１で集計した一時間分の使用量（ガス、水、電気）をその時間帯（例えば、「２０時」等）と対応させて一時間毎に直近の４８時間分だけ過去に遡って記憶する。すなわち、この時間別メモリ６１には、時刻が０分となった時点で、そこに記憶された４８時間前の最古の一時間分の使用量データを、最新の一時間分の使用量データに書き換え、使用量データを常に直近の４８時間分だけ残すようにしている。
【００２６】
日別集計部５２は、０時から２４時までの使用量を計算してその日の一日分の使用量を集計する。そして、集計制御部７は、計時部４からの計時データを参照して、時刻が０時となる時点毎に時間別メモリ６１における直近の２３時間分の使用量の記憶値に、時間別集計部５１で計算した２３時から２４時までの一時間分の使用量の集計値を加算した日別集計部５２での使用量の集計値を昨日の一日分の使用量（ガス、水、電気）とし、日別メモリ６２へ書き込ませる。すなわち、日別集計部５２では、時刻が０時となった時点で、時間別メモリ６１に記憶する昨日の０時から２３時までの使用量に時間別集計部５１で集計した昨日の２３時から２４時までの一時間分の使用量を加算することで昨日の一日分の使用量として集計する。なお、日別集計部５２は、時刻が０時となった時点で時間別メモリ６１における直近の２４時間分の使用量の記憶値、すなわち昨日の０時から２４時までの使用量を合計して、これを昨日の一日分の使用量として集計するようにしてもよい。
【００２７】
日別メモリ６２は、日別集計部５２で集計した一日分の使用量（ガス、水、電気）をその日付と対応させて一日毎に直近の３１日分だけ過去に遡って記憶する。
すなわち、この日別メモリ６２には、時刻が０時となった時点で、そこに記憶された３１日前の最古の一日分の使用量データを、最新の一日分の使用量データに書き換え、使用量データを常に直近の３１日分だけ残すようにしている。
【００２８】
月別集計部５３は、月初日から月末日までの使用量を計算してその月の一ヶ月分の使用量を集計する。そして、集計制御部７は、計時部４からの計時データを参照して、時刻が月初日の０時となる時点毎に日別メモリ６２に記憶する先月の月初日から月末日までの使用量の記憶値を合計した月別集計部５３での集計値を先月の一ヶ月分の使用量（ガス、水、電気）として計算し、月別メモリ６３へ書き込ませる。すなわち、この月別集計部５３では、例えば、計時部が１２月１日の０時を刻んだ時点で、１１月１日から１１月３０日までの使用量を日別メモリ６２から読み出し合計してこれを１１月分の使用量として計算する。
【００２９】
月別メモリ６３は、月別集計部５３で集計した一ヶ月分の使用量（ガス、水、電気）をその年月と対応させて一ヶ月毎に直近の１３ヶ月分だけ過去に遡って記憶する。
すなわち、この月別メモリ６３には、時刻が月初日の０時となった時点で、そこに記憶された１３ヶ月前の最古の一ヶ月分の使用量データを、最新の一ヶ月分の使用量データに書き換え、使用量データを常に直近の１３ヶ月分だけ残すようにしている。
【００３０】
以上の時間別メモリ６１、日別メモリ６２、月別メモリ６３の関係は、図３の模式図に示すように、時間別メモリ６１の直近の２４時間分の使用量が日別メモリ５２の一日分の使用量となり、日別メモリ５２の直近の３１日分、３０日分、２８日分、あるいは２９日分が月別メモリ５３の一ヶ月分の使用量となる。
【００３１】
以上より、上記構成の集計部５は、予め設定した積算期間で使用量を計算して行くのではなく、時刻が０分となった時点で使用量実績の集計を行うので、計時部４の時刻を変更しても、その時刻変更前に集計していた使用量のデータがリセットされることはない。従って、計時部４の時刻変更を行った後も、その時刻が０分となった時点でそれまでの使用量実績の集計を行うことができ、過去の使用実績との比較表示等も問題なく行うことができる。
【００３２】
一方、従来の給湯装置（特許文献１）における記憶手段６７７は、一方的に積算データを記憶していくだけなので、時間経過に伴っていずれは容量オーバーしてしまい、新たな積算値が記憶できなくなって直近の過去分の使用量が表示できなくなる。これに対して、上記構成の記憶部６は、使用量を最新の一定期間分だけしか記憶しないので、容量オーバーとなって最新の使用量が記憶できなくなることもないし、また、大容量のメモリを用いる必要もない。これにより、時間が相当経過しても、直近の過去分の使用量データを利用した使用量表示を行うことができる。
【００３３】
図１を参照して、単価・目標値入力部１２は、ガス、水道、電気のそれぞれの目標値やそれぞれの単価料金をセットするものであり、各値をセットするための項目キーと、数値入力キーとを備える。
【００３４】
表示項目選択部１３は、表示部１５における表示項目を選択するための各種の選択キーを備える。この選択キーとして、例えば、画面選択キー、尺度選択キー、エネルギー選択キー、期間選択キー等が採用可能である。
【００３５】
この場合、画面選択キーは、その操作によって、使用量を一覧表示させるのか、現在使用量を目標値と比較表示させるのか、現在使用量を過去使用量と比較表示させるのか等の選択を行う。
尺度選択キーは、その操作によって、表示する尺度を使用量（例えば、ガス、水道の場合は単位を「体積」とし、電気の場合は単位を「ワット」とする等。）とするのか、目安料金（例えば、単位を「円」とする。）とするのか等の選択を行う。
エネルギー選択キーは、その操作によって、ガス、水道、電気のいずれのエネルギーを表示させるのか、またはガス、水道、電気の目安料金を合計した光熱費として表示させるのか等の選択を行う。
期間選択キーは、その操作によって、日、週、月等の表示する期間単位の選択を行う。
表示制御部１４は、表示項目選択部１３や単価・目標値入力部１２からの表示指令信号に基づいて、集計処理部１１における記憶部６の各記憶値や時間別集計部５１の集計値を、表示項目選択部１３による要求内容に応じて読み出して、表示部１５に表示するための表示データを作成し、表示部に出力する。
【００３６】
例えば、本日の現時点までの使用量は、時間別メモリ６１に記憶している本日の０時以降の全使用量と、時間別集計部５１で集計している今の時間帯の使用量との合計となる。従って、本日の現時点までの使用量を表示させるときは、時間別メモリ６１の記憶値と、時間別集計部５１の集計値とを読み出し、これを時間毎に時系列的に編集するとか、合計する等して表示部に出力する。
【００３７】
また、今月の現時点までの使用量は、日別メモリ５２に記憶している今月の月初日以降の全使用量と、上記したとおりの本日の現時点までの使用量との合計となる。従って、今月の現時点までの使用量を表示させるときは、日別メモリ５２の記憶値と、時間別メモリの記憶値と、時間別集計部の集計値とを読み出し、これを日毎に時系列的に編集するとか、合計する等して表示部に出力する。
【００３８】
さらに、今年の現時点までの使用量は、月別メモリ６３に記憶する今年の１月以降の全使用量と、上記したとおりの今月の現時点までの使用量との合計となる。従って、今年の現時点までの使用量を表示させるときは、月別メモリ６３の記憶値と、日別メモリ６２の記憶値と、時間別メモリ６１の記憶値と、時間別集計部５１の集計値とを読み出し、これを月毎に時系列的に編集するとか、合計する等して表示部に出力する。
【００３９】
なお、過去の使用量を表示させる場合は、その期間単位（時間、日、週、月など）に応じて時間別メモリ６１、日別メモリ６２、月別メモリ６３から必要な使用量を読み出し、表示部１５に出力する。
【００４０】
次に、表示の具体例を説明する。
（一覧表示）
画面選択キーより使用量の一覧表示を選んだ場合、期間選択キーにより、例えば、「今日」「昨日」「今週」「今月」「今年」等の期間単位が選択でき、この場合、期間選択キーで選んだ使用者が要求する期間単位に応じて、表示制御部１４は、集計処理部１１から必要なデータを読み出して表示データを算出、作成し、そして、図４（ａ）に示すように、表示部１５には、使用量を一定単位毎に時系列的に棒グラフ等によって表示させるようにする。図４（ａ）に示すこの一覧表示画面には、単価・目標値入力部１２でセットした目標値を示すライン８１のほか、ガス・水道・電気のエネルギー種の表示８２、選択した期間単位の表示８３、体積・ワット・料金の尺度８４なども併せて表示される。なお、図４（ａ）は、期間単位として「今週」の使用量の一覧表示の例であり、棒グラフが７本（７日分）表示可能となっているが、この棒グラフの本数は、期間単位に応じて変更される。
このように、使用量の一覧表示を行うことで、現在までの使用量の推移が一目で分かるので、今後のエネルギー使用の節約等に役立てることができる。
【００４１】
（目標値との比較表示）
画面選択キーより現在使用量を目標値と比較する比較表示を選んだ場合、期間選択キーにより、例えば、「今日」「今週」「今月」等の期間単位が選択でき、この場合、期間選択キーで選んだ使用者が要求する期間単位に応じて、表示制御部１４は、集計処理部１１から必要なデータを読み出して表示データを算出、作成し、そして、図４（ｂ）に示すように、表示部１５には、単価・目標値入力部１２でセットした目標値に対する今月、今週または今日の現時点までの使用量の割合を帯グラフ等によって表示させるようにする。図４（ｂ）に示すこの目標値比較表示画面には、単価・目標値入力部１２でセットした目標値を示すマーク８５のほか、ガス・水道・電気のエネルギー種の表示８２、選択した期間単位の表示８３、体積・ワット・料金の尺度８４なども併せて表示される。
このように、目標値との比較表示を行うことで、目標値の使用量に対する現在までの使用量の割合が一目で分かるので、目標値の使用量との対比においてエネルギー使用の節約等に役立てることができる。
【００４２】
（過去との比較表示）
画面選択キーより現在使用量を過去と比較する比較表示を選んだ場合、期間選択キーにより、例えば、比較対照する期間として「前年同月」「先月」「先週」「昨日」等の期間単位が選択でき、この場合、表示制御部１４は、集計処理部１１から必要なデータを読み出して表示データを算出、作成し、図４（ｃ）に示すように、表示部１５には、比較対照する期間の使用量に対する今月、今週または今日の現時点までの使用量の割合を帯グラフ等によって表示させるようにする。図４（ｃ）に示すこの過去比較表示画面には、比較対照期間の使用量を示すマーク８６のほか、ガス・水道・電気のエネルギー種の表示８２、選択した期間単位の表示８３、体積・ワット・料金の尺度８４なども併せて表示される。なお、図４（ｃ）は、比較対照期間として「先月」とした例であり、この場合の現在の使用量は、比較対照期間の期間単位と対応する月単位である「今月」の使用量が表示される。すなわち、現在の使用量の期間単位は、比較対照期間の期間単位と対応させて表示される。
このように、過去の使用量との比較表示を行うことで、過去の使用量に対する現在までの使用量の割合が一目で分かるので、過去の使用量との対比においてエネルギー使用の節約等に役立てることができる。
【００４３】
なお、上記いずれの表示画面においても、尺度選択キーより使用量または目安料金のいずれかに切換え表示でき、また、エネルギー選択キーよりガス、水道、電気またはこれらの合計の光熱費のいずれかに切換え表示できる。
【００４４】
以上の実施の形態によれば、所定時刻となる毎に使用量のデータを上記集計部５から上記記憶部６への書き込みを行わせるので、表示する使用量の期間単位を変更しても、集計部５で集計している使用量データがリセットされることなく、所定時刻毎に記憶部６に記録される。また、給湯装置２で使用するガス等の使用量を上記記憶部６に所定期間単位で記録するが、表示の際は、表示制御部１４によって使用者が要求する期間単位に応じて使用量の表示用データが作成される。従って、記憶部６に記録する期間単位にかかわらず、表示部１５には使用者が要求する期間単位に応じて給湯装置２で使用するガス使用量等の使用量表示を行うことができる。
【００４５】
このように、給湯装置２で使用するガスや水道等のエネルギー使用量を表示するに際し、表示する使用量の期間単位を変更しても、集計部５で集計している使用量データがリセットされることなく所定時刻毎に記憶部６に記録されていくので、集計部５の集計値や記憶部６の記録値を利用して、現在、過去の使用量を変更後の期間単位で表示することができる。従って、単一の期間単位のみならず、日毎、月毎等のように使用者が要求する期間単位に応じたエネルギー使用量の推移等を確実に表示することができる。よって、給湯装置２でのガス、水道の使用量や住宅での電気の使用量等のエネルギー使用の節約等に確実に役立てることができる。
【００４６】
（実施の形態２）
本実施の形態２では、図５に示すように、集計処理部１１’において、上記実施の形態１における日別メモリ６２、月別メモリ６３、日別集計部５２、月別集計部５３を持たず、集計部５’は時間別集計部５１で構成し、記憶部６’は時間別メモリ６１で構成する。この場合、表示制御部１４は、時間別メモリ６１と時間別集計部５１における使用量のデータを、表示項目選択部１３により使用者が要求する期間単位に応じて読み出して、表示部１５に表示するための表示データを算出、作成し、表示部に出力する。従って、時間別メモリ６１は、現在使用量を過去と比較する比較表示のため、比較対照する過去の時間数分の使用量のデータを記憶させるようにする。これにより、上記実施の形態１と同様に、「昨日」「先週」「先月」「前年同月」等の過去の使用量との比較表示が可能となる。この実施の形態２による表示装置のその他の構成は上記実施の形態１のものと同様である。
【００４７】
なお、本発明は、上記各実施の形態のものに限らす、例えば、以下の変更が可能である。
（１）時間別メモリ６１、日別メモリ６２、月別メモリ６３における各々のデータ記録期間は、過去との比較表示や過去の使用量表示のため、その過去の期間に応じて任意に設定することができる。
（２）月別メモリ６３、月別集計部５３、集計制御部７における月単位の使用量の集計は、月初日に限らず、特定の締め日を任意に設定することができる。
（３）給湯装置２で使用するガス量は、ガス量計測器２８でガス配管２５に供給されるガス量を直接測定するが、リモコン１等での出湯の設定温度と給水管２３での入水温度との温度差に、給水管２３での入水量を乗じて要求熱量を求め、この要求熱量とガス種の単位量当りの熱量とに基づいて算出するガスの供給量を用いてもよい。
【図面の簡単な説明】
【００４８】
【図１】実施の形態１によるエネルギー使用量表示装置（給湯装置のリモコンに適用）の概略構成を示すブロック図である。
【図２】実施の形態１によるエネルギー使用量表示装置における集計処理部の構成を示すブロック図である。
【図３】時間別メモリ、日別メモリ、月別メモリの相互関係を示す模式図である。
【図４】実施の形態１によるエネルギー使用量表示装置の表示部における表示例を示す画面構成図であり、図４（ａ）は現在使用量の一覧表示画面を示し、図４（ｂ）は現在使用量の目標値との比較表示画面を示し、図４（ｃ）は現在使用量の過去との比較表示画面を示す。
【図５】実施の形態２によるエネルギー使用量表示装置における集計処理部の構成を示すブロック図である。
【図６】従来の給湯装置におけるガス、水道の使用量を表示させるための要部構成を示すブロック図である。
【符号の説明】
【００４９】
１  リモコン
２  給湯装置
３  分電盤
４  計時部
５  集計部
６  記憶部
７  集計制御部
１１  集計処理部
１２  単価・目標値入力部
１３  表示項目選択部
１４  表示制御部
１５  表示部
２６  制御盤
５１  時間別集計部
５２  日別集計部
５３  月別集計部
６１  時間別メモリ
５２  日別メモリ
６３  月別メモリ
【図１】
2008157502.tif 000003
【図２】
2008157502.tif 000004
【図３】
2008157502.tif 000005
【図４】
2008157502.tif 000006
【図５】
2008157502.tif 000007
【図６】
2008157502.tif 000008